(57)【要約】【課題】結露水の商品への付着、飛散および商品収納庫室の熱損を長期間にわたり確実に防止できる自動販売機を提供する。【解決手段】商品取出口部を備えた本体箱内に、商品を収納するとともに商品を前記商品取出口部へ払い出す商品払出口部を有する商品収納庫室と、該商品収納庫室へ冷気を吹き出し商品を冷却する冷却回路が設けられた機械室とを有する自動販売機において、前記冷却回路の吸熱熱交換器を迂回し前記商品払出口部へ空気を吹き出すバイパス通路を設けたことを特徴とする自動販売機。【選択図】  図１
2004348424.tif 000002
【特許請求の範囲】
【請求項１】
商品取出口部を備えた本体箱内に、商品を収納するとともに商品を前記商品取出口部へ払い出す商品払出口部を有する商品収納庫室と、該商品収納庫室へ冷気を吹き出し商品を冷却する冷却回路が設けられた機械室とを有する自動販売機において、前記冷却回路の吸熱熱交換器を迂回し前記商品払出口部へ空気を吹き出すバイパス通路を設けたことを特徴とする自動販売機。
【請求項２】
前記商品払出口部に、該商品払出口部を開閉するシャッタが設けられている、請求項１の自動販売機。
【請求項３】
前記バイパス通路がパイプからなる、請求項１または２の自動販売機。
【発明の詳細な説明】
【０００１】
【発明の属する技術分野】
本発明は、本体箱内に商品を収納する商品庫室と、商品庫室内の商品を冷却する冷却回路が設けられた機械室とを有する自動販売機に関する。
【０００２】
【従来の技術】
従来から、本体箱内に商品を収納する商品収納庫室と、該商品収納庫室内の商品を冷却する冷却回路を備えた機械室とを有する自動販売機としては図３に示すようなものが知られている（たとえば、特許文献１）。図３において、１００は自動販売機を示している。自動販売機１００は、本体箱１０１を有している。本体箱１０１には利用者が商品を取り出すための商品取出口部１０２が設けられている。商品取出口部１０２はシャッタ１０３により開閉されるようになっている。
【０００３】
また、本体箱１０１内には、商品（図示略）を収納する商品収納庫室１０４と、機械室１０５とが設けられている。機械室１０５内には、商品収納庫室１０４内へ冷気を吹き出し商品を冷却するための冷却回路１０６が設けられている。冷却回路１０６は、吸熱熱交換器１０７と送風ファン１０８とを有している。
【０００４】
上記のような自動販売機１００においては、背面（図３の右側）に設けられたエアダクト（図示略）から吸入された空気は吸熱熱交換器１０７の通過の際に冷却され、ファン１０８により商品収納庫室１０４内へ吹き出されるようになっている。図３においては上記空気の流れを白ぬき矢印で示している。また、商品収納庫室１０４から商品取出口部１０２へと商品を払い出す商品払出口部１０９にはシャッタ１１０が設けられている。また、シャッタ１１０には断熱材１１１が設けられているので断熱効果が向上され商品収納庫室１０４からの冷気の流出が効果的に防止されるようになっている。また、冷気が直接シャッタ１１０に当たることはなくなるので、シャッタ１１０への結露水の付着が防止され、商品への結露水の付着や外部への飛散が防止されるようになっている。
【０００５】
【特許文献１】
特開２００２−２８８７１９号公報（第１−第４頁）
【０００６】
【発明が解決しようとする課題】
しかしながら、上記特許文献１においては、商品が常に通過するシャッタ１１０の裏面（収納庫室側）に断熱材１１１が設けられているので、商品の通過に伴い断熱材１１１が破損したり剥離等し易く、断熱効果や結露水付着の防止効果を長期間にわたり安定して発揮できないおそれがある。また、該技術分野においては、上記断熱効果、結露水付着の防止効果のさらなる向上が望まれている。
【０００７】
本発明の課題は、商品払出口部の断熱効果および商品払出口部における結露水の付着防止効果を長期間にわたり安定して発揮することのできる自動販売機を提供することにある。
【０００８】
【課題を解決するための手段】
上記課題を解決するために、本発明に係る自動販売機は、商品取出口部を備えた本体箱内に、商品を収納するとともに商品を前記商品取出口部へ払い出す商品払出口部を有する商品収納庫室と、該商品収納庫室へ冷気を吹き出し商品を冷却する冷却回路が設けられた機械室とを有する自動販売機において、前記冷却回路の吸熱熱交換器を迂回し前記商品払出口部へ空気を吹き出すバイパス通路を設けたことを特徴とするものからなる。
【０００９】
上記のような自動販売機においては、冷却回路の吸熱熱交換器を迂回し冷却されていない空気は商品収納庫室の商品払出口部に吹き出され、該商品払出口部にエアカーテンが形成される、又は該商品払出部のシャッタに吹き付けられるので、吸熱熱交換器を通過した冷気が商品払出口部に直接吹き付けられることはなくなり、商品払出口部における結露が低減され結露水の付着を長期間にわたり確実に防止することができる。また、本発明に係る自動販売機においては、商品払出口部に商品収納庫室の内外を仕切るエアカーテンが形成されるので、商品払出口部のシャッタを省略しても商品払出口部の断熱効果を確保することができる。ただし、商品払出口部にシャッタを設ければ、エアカーテンの形成効果と相まって断熱性をより一層向上することができる。
【００１０】
上記バイパス通路は、たとえばハイプ等により容易に形成することができる。したがって、本発明は簡単な設計変更をするだけで既存の自動販売機に適用することができる。
【００１１】
【発明の実施の形態】
以下に、本発明に係る自動販売機の望ましい実施の形態を図面を参照して説明する。
図１は、本発明の第１実施態様に係る自動販売機を示している。図１において、１は自動販売機を示している。自動販売機１は、本体箱２を有している。本体箱２には利用者（消費者）が商品（図示略）を取り出す商品取出口部３が設けられており、商品取出口部３はシャッタ４により開閉されるようになっている。
【００１２】
また、本体箱２内には、商品収納庫室５と機械室６とが設けられている。商品収納庫室５内には商品を収納する商品収納棚（図示略）が設けられている。一方、機械室６内には、冷却回路７が設けられている。冷却回路７は、吸熱熱交換器８、送風ファン９等を有している。なお、冷却回路７には、圧縮機、発熱熱交換器等（いずれも図示略）が設けられている。自動販売機１の背面（図１の右側）に設けられたエアダクト（図示略）から吸入された空気は、たとえば吸熱熱交換器８を通過し冷却され、通路１３を介して商品収納庫室５内に流入し、該商品収納庫室５内の商品が冷蔵されるようになっている。
【００１３】
また、機械室６内には、吸熱熱交換器８を迂回し商品収納庫室５の商品払出口部１０へと至るバイパス通路１２が設けられているので、上記エアダクトから吸入された空気の一部は、吸熱熱交換器８を迂回し、バイパス通路１２を通って商品払出口部１０へ吹き出される。商品払出口部１０はシャッタ１１により開閉されるようになっている。商品販売時には、シャッタ１１により商品払出口部１０が開となり、商品収納庫室５から商品が払出口部１０を介して取出口部３へと払い出されるようになっている。また、待機時においてはシャッタ１１により商品払出口部１０は閉じられており、商品収納庫室５からの冷気の流出が防止されるようになっている。
【００１４】
本実施態様に係る自動販売機においては、機械室６内に吸熱熱交換器８を迂回し商品払出口部１０へと至るバイパス通路１２が設けられているので、吸熱熱交換器８を迂回し冷却されない空気はバイパス通路１２を介して商品払出口部１０に吹き出され、該商品払出口部１０にエアカーテンが形成される、又は該商品払出部のシャッタに吹き付けられる。したがって、通路１３を通過した冷気が商品払出口部１０、シャッタ１１に直接吹き付けられることはなくなるので、商品払出口部１０における結露が低減され、シャッタ１１等への結露水の付着を長期にわたり確実に防止できる。また、本実施態様においては、商品払出口部１０にシャッタ１１が設けられるとともに、上記エアカーテンが形成される、又は該商品払出部のシャッタに吹き付けられるので、商品払出口部１０の断熱性が向上し商品収納庫室５内からの冷気の流出が確実に防止されるようになっている。ただし、商品払出口部１０に上記のようなエアカーテンを形成すれば、該エアカーテンにより商品収納庫室５からの冷気の流出を大幅に抑制することも可能である。したがって、エアカーテンのみでの商品払出口部１０の断熱性を十分に確保することもできるので、シャッタ１１は省略することも可能である。
【００１５】
図２は本発明の第２実施態様に係る自動販売機１４を示している。なお、上記第１実施態様と同一の部材には同一の番号を付しその説明を省略する。本実施態様においては、バイパス通路１２はパイプ１５から形成されている。本実施態様においても、吸熱熱交換器８を迂回し商品払出口部１０へと至るバイパス通路１２が設けられているので、商品払出口部１０の断熱性を向上しつつ、該商品払出口部１０における結露が軽減され払出口部１０、ひいては商品への結露水の付着を防止することができる。また、本実施態様においては、機械室６内にパイプ１５を設置するだけの簡単な設計変更によりバイパス通路１２を設けることができるので、既存の自動販売機にも容易に適用することができる。また、第１実施態様の作用に準じシャッタ１１の省略も可能である。
【００１６】
【発明の効果】
以上説明したように、本発明に係る自動販売機によるときは、商品払出口部の断熱性を向上することができるので商品収納庫室の熱損を防止できる。また、商品払出口部における結露が低減され、該商品払出口部、ひいては商品への結露水の付着や結露水の飛散を防止できる。
【図面の簡単な説明】
【図１】本発明の第１実施態様に係る自動販売機の部分断面図である。
【図２】本発明の第２実施態様に係る自動販売機の部分断面図である。
【図３】従来の自動販売機の部分断面図である。
【符号の説明】
１、１４  自動販売機
２  本体箱
３  商品取出口部
４  シャッタ
５  商品収納庫室
６  機械室
７  冷却回路
８  吸熱熱交換器
９  送風ファン
１０  商品払出口部
１１  シャッタ
１２  バイパス通路
１３  通路
１５  パイプ
【図１】
2004348424.tif 000003
【図２】
2004348424.tif 000004
【図３】
2004348424.tif 000005